(57)【要約】【課題】野球やゴルフ、サッカーなどの球技のスポーツでの思い出となるボールその他の被展示物と共にメダルなどの小物類や写真も一緒に保管し展示できる展示ケースを提供する。【解決手段】上方に所定大の球体などの被展示物を収納可能な空間を有する展示室部２と、下方に小物類を入れるための小物入れ部３とを設けた展示ケース１からなり、該展示ケース１はアクリル樹脂などの透明体ケースで形成し、前記展示室部２の下面に前記球体を安定載置するための人工芝状の敷シート４を敷いたり、前記透明体ケースの側面部に写真を挟持するための写真立て部５を設けたりした。【選択図】        図２
2005052331.tif 000002
【特許請求の範囲】
【請求項１】
上方に被展示物を収納可能な空間を有し透明な壁部を有する展示室部と、下方に小物類を入れる小物入れ部とを設けたケースからなる展示ケース。
【請求項２】
前記展示室部内の下面に球体の被展示物を載置するための人工芝状の敷シートを布設した請求項１に記載の展示ケース。
【請求項３】
前記小物入れ部は挿脱可能な引き出し箱からなる請求項１又は請求項２に記載の展示ケース。
【請求項４】
前記ケースの側面部に写真立て部を設けた請求項１乃至請求項３のいずれか１に記載の展示ケース。
【発明の詳細な説明】
【技術分野】
【０００１】
本発明は、野球、ゴルフ、サッカーなどの球技のスポーツでの思い出となるボールなどの被展示物と共にメダルなどの小物類や写真も一緒に保管し展示できる展示ケースに関する。
【背景技術】
【０００２】
従来、スポーツ選手や愛好家がいる家庭において、野球などの球技での思い出や記念のボールは小型のバットを組み合せたボール受けに載せたり、その時の写真などは別に写真立てに入れて、ボールの傍らに置いたり、メダルやワッペンなどはそのまま飾り棚に置いたりしており、特に甲子園に出場したほとんどの選手は涙と共にグランドの砂をビニール袋や砂袋に詰めて家に持ち帰っており、これらのボール、小物類、写真などは別々に飾ったり、別々に保管していた。
【０００３】
又、小物を入れて展示するケースとして、透明や半透明の窓を有する小物入れケースを設け、このケースを複数接続できるものがある（例えば、特許文献１参照。）。
【特許文献１】
実用新案登録第３０９０１７３号公報（第１図）
【考案の開示】
【発明が解決しようとする課題】
【０００４】
従来、スポーツ選手がいる家庭などにおいて、野球だけでなくゴルフやサッカーやテニスなどの球技スポーツでの思い出のボールや、メダル、ワッペンなどの小物類や、その折々の写真などは別々に飾ってあったり、保管しているので、毎年のように数量が増えてくると、どのボールと、どの小物や写真が一緒の時の物であったのかなど、時期と品物との関連が混乱する問題点があり、又、ワッペンなどの小物は時が過ぎるといつのまにか紛失してしまう問題点があり、更に、甲子園のグランドの砂は始末が悪く、選手にとっては大切な思い出であっても砂袋がやぶれたりして家人から迷惑がられ、人に見せる度に砂袋を開けるのは面倒なことであり、又、甲子園のグランドの砂を常に展示しておくことは困難な問題点があった。
【０００５】
又、特許文献１に記載のケースは、多数の小物の展示に適しているが、思い出のボールも一緒に収納して展示することは全く困難である。
【０００６】
本発明はこれらの問題点を解消し、思い出のボールなどの展示物と共に小物類や写真も一緒に保管し展示できる展示ケースを提供することを目的とする。
【課題を解決するための手段】
【０００７】
本発明は上記の目的を達成すべく、上方に被展示物を収納可能な空間を有し透明な壁部を有する展示室部と、下方に小物類を入れる小物入れ部とを設けたケースからなる。
【発明の効果】
【０００８】
上方に球体などの被展示物を収納する透明な壁部を有する展示室部と下方に小物類を入れる小物入れ部とを設けたケースにより、思い出となるボールなどを汚れずに常時展示できる効果を有し、又、小物類もボールなどと一緒に保管できて紛失したり時期が混乱しない効果を有し、更に、写真も一緒に展示すれば思い出を一層深める効果を有する。
【発明を実施するための最良の形態】
【０００９】
本発明の実施の最良の形態である展示ケース１は透明度の良いアクリル樹脂体などで形成し、上方に野球のみでなくゴルフやサッカーやテニスなどの球技のスポーツの競技大会や試合での思い出や記念のボールを収納し展示する展示室部２と、下方に獲得したメダルやワッペンなどの小物類やグランドの砂などを入れるための小物入れ部３とを一緒に設けている。
【００１０】
尚、サッカーのボールは実物でなくミニチュアサイズのものを収納する。
【実施例１】
【００１１】
図１は本発明の実施例１である展示ケース１の斜視図を示し、該展示ケース１は透明体本体部１ａとカバー部１ｂと引き出し箱１ｃの３点組からなり、透明度の良いアクリル樹脂体などを成型するか板材を溶着して形成している。
【００１２】
透明体本体部１ａは両側面１ｅと、これら両側面１ｅ間を溶着し互に間隔を存する展示室下面１ｄと底面１ｆの部材からなり、カバー部１ｂは略正方形状の前後面１ｇ、１ｈとこれら前後面１ｇ、１ｈを溶着した上面１ｉの３面体に形成され、前記両側面１ｅと展示室下面１ｄの３面と該カバー部１ｂの前後面１ｇ、１ｈと上面１ｉの６面により、所定大の球体を収納可能な空間を有する展示室部２に形成しており、又、該展示室部２の下方の両側面１ｅと展示室下面１ｄと底面１ｆにより形成の空間に前記引き出し箱１ｃを挿脱可能に形成して、該引き出し箱１ｃを小物の収納のための小物入れ部３とした。
【００１３】
尚、展示室部２は野球のボールより少許大の内寸法７３〜７５ミリメートル程度の立方空間に形成している。
【００１４】
この実施例１の展示ケース１の使用方法を野球の場合について説明すると、上方の展示室部２の両側面１ｅ間に思い出の野球ボールＡを入れてから、前後面１ｇ、１ｈを前側面１ｅの側端間に介入するようにしてカバー１ｂを被せ、又下方の小物入れ部３である引き出し箱１ｃ内に関連する小物を入れる。特に甲子園に出場した選手はグランドの砂Ｂを入れておくと、散乱したりせず、該砂を知人にボールと共に何時
でも簡単に見せることができる。
【００１５】
又、ゴルフやテニスやサッカーの場合では、展示室部２内にゴルフやテニスのボールを入れ、サッカーでは実物のボールではなく、野球ボール大のミニチュアボールを入れて、下方の小物入れ部３には記念のメダルやワッペンなどを入れておき、ボールと小物類も一緒に保管できて紛失や時期が混乱しない。
【００１６】
又、前記展示室部２の下面１ｄ上に人工芝の敷シート４を敷いて、この敷シート４上に野球等のボールＡを載置すると、該ボールＡが転がりにくく安定すると共に野球場などの雰囲気がでる。
【実施例２】
【００１７】
図２は本発明の実施例２の展示ケース１１の斜視図を示し、該展示ケース１１は前記実施例１の展示ケース１の側面部に写真を挟持するための写真立て部５を付設したことが特徴である。
【００１８】
写真立て部５は、前記展示ケース１の透明体本体部１ａの側面部１ｅに、写真を挿入する細いスリット５ａを設けた二重側面構造とするか、別部材の透明板に係止爪を設けて写真を挟んで前記側面部１ｅに係止するように形成してもよい。
【００１９】
この様に展示ケースに写真立て部を設けたことにより、思い出のボールや小物と共にその時の写真も一緒に展示することができ、思い出を一層深めることができる。
【実施例３】
【００２０】
図３は本発明の実施例３の展示ケース２１の斜視図を示し、該展示ケース２１は前記展示ケース１１を簡略化したことが特徴である。
【００２１】
該展示ケース２１は、上方が開口した縦長の長方体の透明体本体部２１ａと蓋板状のカバー部２１ｂと中置板２１ｃとからなり、該中置板２１ｃより上方を所定大の球体を収納可能とする空間の展示室部２とし、下方を小物入れ部３としている。
【００２２】
該中置板２１ｃを所定高さに保持するための保持リブを前記透明体本体部２１ａの下方内部に設けており、又、該中置板２１ｃは中心部分に指孔２１ｄを設けると共に該指孔２１ｄに指を挿入して該中置板２１ｃを脱着し、前記小物入れ部３に小物類を収納でき、更に該指孔２１ｃ自体に前記球体を載置すれば、前記敷シート４を使用せずに球体を安定して展示することができる。
【００２３】
又、前記透明体本体部２１ａの内周部と該中置板２１ｃの外周部との間に１〜２ミリメートル程の隙間を設ければ、該透明体本体部２１ａの内側面に写真を挟持することができ、もし写真が曲る様であれば薄い裏当板を一緒に前記隙間に挿入して前記写真立て部５の機能を果たすことができる。
【００２４】
この様に中置板２１ｃにより展示ケースを簡略化しても、思い出のボールや小物類と写真も一緒に保管し展示することができる。
【産業上の利用可能性】
【００２５】
本発明の活用例として、主に野球やゴルフ、サッカーなどのスポーツ選手や愛好家がいる家庭で用い、競技大会や試合での思い出のボールや獲得したメダルなどが毎年増加しても一緒に本発明の展示ケースに収納できるので、場所もとらず整理が簡単であり、特に、甲子園に出場した選手の家庭ではグランドの砂の保管が容易となる。
【図面の簡単な説明】
【００２６】
【図１】本発明の実施例１の斜視図である。
【図２】本発明の実施例２の斜視図である。
【図３】本発明の実施例３の斜視図である。
【符号の説明】
【００２７】
１、１１、２１    展示ケース
２                展示室部
３                小物入れ部
４                敷シート
５                写真立て部
【図１】
2005052331.tif 000003
【図２】
2005052331.tif 000004
【図３】
2005052331.tif 000005
【手続補正書】
【提出日】平成15年8月22日(2003.8.22)
【手続補正１】
【補正対象書類名】図面
【補正対象項目名】全図
【補正方法】変更
【補正の内容】
【図１】
2005052331.tif 000006
【図２】
2005052331.tif 000007
【図３】
2005052331.tif 000008